(57)【要約】      （修正有） 【課題】子供にとって安全であり、また、首に下げても使用できるフォトフレームを提供する。【解決手段】軟質素材を使用したフォトフレーム１の正面には開口窓を設け、側面には写真１０及びフィルムを収納できる挿入口５を設けておく。そして、フォトフレーム１には、別途、両端が面ファスナー７で着脱可能なストラップ８を設けておく。また、フォトフレーム１の外観は、算用数字の外観形状とする。【選択図】図１
0003198882.tif 000002
【実用新案登録請求の範囲】
【請求項１】
軟質素材により形成されるフォトフレームであって、前記フォトフレームの正面には開口窓を有し、側面には写真を収納できる挿入口を設けたフォトフレーム。
【請求項２】
前記フォトフレームにはストラップが取り付けられ、前記ストラップの両端は面ファスナーが設けられていることを特徴とする請求項１に記載のフォトフレーム。
【請求項３】
前記フォトフレームは、外観形状が算用数字であることを特徴とする請求項１乃至請求項２に記載のブレスレット。
【考案の詳細な説明】
【技術分野】
【０００１】
本考案は、フォトフレームに関するものである。
【背景技術】
【０００２】
従来、フォトフレームは、金属製、石製、プラスティック製、木製等の堅い素材で形成されたものが多かった。
【０００３】
そのため、使用方法が、壁掛けやスタンドに限定され、ときに子供にとってフレームの角などで怪我をする可能性があった。
【０００４】
また、フレームの両端にストラップを取り付けて、壁等に掛けることはできても、このストラップを別の用途に利用することは考えられていなかった。
【考案の概要】
【考案が解決しようとする課題】
【０００５】
そこで、子供にとって安全であり、また、首に下げても使用できるフォトフレームを提供する。
【課題を解決するための手段】
【０００６】
フォトフレームは、フェルト等軟質素材シートを使用し、フォトフレームの正面には開口窓を設け、側面には写真を収納できる挿入口を設けておく。
【０００７】
前記フォトフレームには、別途、両端が面ファスナーで着脱可能なストラップを備えておく。
【０００８】
また、フォトフレームの外観は、算用数字の外観形状とする。
【考案の効果】
【０００９】
本考案によれば、フェルト等軟質素材シートを使用することで、怪我をすることが無い。
【００１０】
さらに、面ファスナーによる着脱可能なストラップとすることで、壁に掛ける以外にも、簡単に首にぶら下げて首飾りとして使用することができ、また、誤って首を吊ってしまうことが無い。
【００１１】
そして、たとえば、誕生日の歳と同じ数字の形状をしたフォトフレームを首飾りとして使用して誕生日を祝い、記念撮影した写真をそのフォトフレームに収納できる。
【考案を実施するための最良の形態】
【００１２】
まず、フォトフレームは、フェルト等軟質素材シートを使用し、フォトフレームの正面には、収納した写真が見えるように開口窓を設け、側面には写真を収納できる挿入口を設けておく。そして、前記フォトフレームには、別途、両端が面ファスナーで着脱可能なストラップを設けておく。また、フォトフレームの外観は、算用数字の外観形状とする。
【実施例１】
【００１３】
以下、図１乃至図３を参照して本考案に係るフォトフレームを説明する。図１は、本考案に係るフォトフレームの正面側から見た斜視図である。図２は、本考案に係るフォトフレームを背面側から見た斜視図である。図３は、本考案に係るフォトフレームの正面シートと背面シートを重ねる前の図である。
【００１４】
まず、本考案のフォトフレーム１は、図３に示すように、フェルト素材のシートを加工して、算用数字の５の輪郭をした同形状の正面シート２と背面シート４を形成し、正面シート２には、収納した写真１０が見えるように正面シート２を貫通する楕円形状の穴となる開口窓３を形成する。
【００１５】
そして、図３に示すように、正面シート２と背面シート４を重ねあわせ、側面には、任意の位置に写真１０を収納できる線状の挿入口５を残して、その他の周縁を結合する。
【００１６】
このとき結合方法は、接着材等で固着しても良いし、糸で縫合しても良い。
【００１７】
また、このフォトフレーム１を構成する正面シート２及び背面シート４に使用する軟質素材とは、フェルト素材以外にも、被皮、合成被皮、織物、編物、不織布、合成樹脂などの素材をいい、好みに応じて同一素材または別素材を重ね合わせても構わない。
【００１８】
さらに、フォトフレーム１は、実施例では、正面シートの輪郭形状を算用数字の５としたが、これに限定されずその他の算用数字、ハート型、円形、動物型の形状など、どのような形状に形成されていても構わないものである。
【００１９】
また、この開口窓３も、実施例においては、楕円形状の穴としているが、収納される写真の大きさよりも小さい開口窓であれば、算用数字にあわせた形状の他、方形状、多角形、円形、キャラクターの形状など、どのような形状の穴であっても構わないものである。
【００２０】
そして、この正面シート２の開口窓３の周囲には、様々な装飾が施された装飾部９が形成されていてもよい。例えば、図１のように、正面シート１の開口窓３の周囲にリボンや王冠の形状の布地を貼りつけたり、生後何カ月であることを示す「Ｍｏｎｔｈｓ」や何歳であるかを示す「Ｙｅａｒｓ−Ｏｌｄ」等の文字が印刷されたシートを張り付けても構わない。
【００２１】
このように正面シート２の開口窓３の周囲に装飾部９を配し、フォトフレーム１の装飾を施すことによって、フォトフレーム１自体の趣向を高め、室内装飾品としても使用できるものとなるものである。
【００２２】
そして、写真にあわせて同形状のフィルムを挿入口５から収納することで、写真に指紋や汚れが付くことなく使用することが可能である。
【００２３】
次に、図２に示すように、フォトフレーム１の背面シート４の上部近傍には、ストラップ８を通すためのスリット６を備えておく。そして、このスリット６にストラップ８を通すことで、首に下げたり、複数のフォトフレームを連結させて壁などに掛けて使用することができる。
【００２４】
ここで、ストラップ８は、両端に備わる面ファスナー７により着脱可能に形成しておく。そのため、着脱が簡単で、ストラップ８が何かに引っかかって首をつる状態になったとしても、頭の重さでストラップ８が外れる為、安全性にも優れている。また、面ファスナーの代用としてスナップボタン等を用いても良い。
【００２５】
このように、好ましい実施例を挙げて本考案を説明したが、本考案はその実施例に限定されるものではなく、本考案の要旨の範囲内で種々に組み合わせや改変できる。
【図面の簡単な説明】
【００２６】
【図１】本考案に係るフォトフレームの正面側から見た斜視図である。
【図２】本考案に係るフォトフレームを背面側から見た斜視図である。
【図３】本考案に係るフォトフレームの正面シートと背面シートを重ねる前の図である。
【符号の説明】
【００２７】
１  フォトフレーム
２  正面シート
３  開口窓
４  背面シート
５  挿入口
６  スリット
７  メンファスナー
８  ストラップ
９  装飾部
１０  写真
【図１】
0003198882.tif 000003
【図２】
0003198882.tif 000004
【図３】
0003198882.tif 000005
【手続補正書】
【提出日】平成27年5月22日(2015.5.22)
【手続補正１】
【補正対象書類名】実用新案登録請求の範囲
【補正対象項目名】請求項３
【補正方法】変更
【補正の内容】
【請求項３】
前記フォトフレームは、外観形状が算用数字であることを特徴とする請求項１乃至請求項２に記載のフォトフレーム。